(57)【要約】    【課題】  誰でも簡単に且つ短時間で選択した捺印画像の写真スタンプを作成することができるスタンプ製版用画像処理方法を提供する。    【解決手段】  Ｓ１及びＳ２の処理で元画像を階調数２５６の第１階調画像に変換後、各画像変換パラメータに基づいて第１階調画像から９種類の第２階調画像が作成されると共に、この各第２階調画像にディスプレイキャリブレーションをかけて各第３階調画像に変換して液晶表示装置５を介して３×３の行列上に配置して表示する。そして、Ｓ３の処理によって液晶表示装置５に表示された９種類の第３階調画像から１個の第３階調画像が選択され、Ｓ４〜Ｓ９の処理によって、この選択された第３階調画像に対応する第２階調画像にスタンプ用キャリブレーションをかけて第４階調画像に変換後、２値化処理を行って製版用画像データが自動的に作成されてスタンプ作成装置３にデータ送信される。【選択図】  図１０
2005125549.tif 000002
【特許請求の範囲】
【請求項１】
熱可塑性多孔質材料から形成される印材に階調画像を含む印判を形成するための製版用画像データを作成するスタンプ製版用画像処理方法において、
元画像を所定階調数の第１階調画像に変換する第１変換工程と、
前記第１変換工程で作成された第１階調画像に対する複数種類の画像変換パラメータを取得するパラメータ取得工程と、
前記各画像変換パラメータに基づいて前記第１階調画像から複数種類の第２階調画像を作成して格納する第１格納工程と、
前記各第２階調画像にディスプレイキャリブレーションをかけて各第３階調画像に変換し、表示手段を介して表示する表示工程と、
前記表示手段に表示された複数種類の前記第３階調画像から一の第３階調画像を選択する選択工程と、
前記選択工程で選択された第３階調画像に対応する第２階調画像にスタンプ用キャリブレーションをかけて第４階調画像に変換する第２変換工程と、
前記第４階調画像に対して２値化処理を行って製版用画像データを作成する製版用画像データ作成工程と、
を備えたことを特徴とするスタンプ製版用画像処理方法。
【請求項２】
被記録媒体にサーマルヘッドを介して階調画像を含む印字データを印字するためのラベル印字用画像データを作成するラベル印字用画像処理方法において、
元画像を所定階調数の第１階調画像に変換する第１変換工程と、
前記第１変換工程で作成された第１階調画像に対する複数種類の画像変換パラメータを取得するパラメータ取得工程と、
前記各画像変換パラメータに基づいて前記第１階調画像から複数種類の第２階調画像を作成して格納する第１格納工程と、
前記各第２階調画像にディスプレイキャリブレーションをかけて各第３階調画像に変換し、表示手段を介して表示する表示工程と、
前記表示手段に表示された複数種類の前記第３階調画像から一の第３階調画像を選択する選択工程と、
前記選択工程で選択された第３階調画像に対応する第２階調画像にラベル用キャリブレーションをかけて第５階調画像に変換する第３変換工程と、
前記第５階調画像に対して２値化処理を行ってラベル印字用画像データを作成するラベル印字用画像データ作成工程と、
を備えたことを特徴とするラベル印字用画像処理方法。
【請求項３】
前記表示工程は、前記各第３階調画像を所定行列上に配置して表示すると共に、前記表示手段の表示画面の横方向と平行な行方向に明るさの変化が少ない第３階調画像を配置して表示することを特徴とする請求項１に記載のスタンプ製版用画像処理方法又は請求項２に記載のラベル印字用画像処理方法。
【請求項４】
前記画像変換パラメータは、画像ヒストグラムの平均の目標値を表す目標グレースケール値と、
グレースケール値の上下カット閾値と、
画像ヒストグラムの平行移動量を表す明るさ補正値と、
を含むことを特徴とする請求項１若しくは請求項３に記載のスタンプ製版用画像処理方法又は請求項２若しくは請求項３に記載のラベル印字用画像処理方法。
【請求項５】
前記表示工程は、前記目標グレースケール値が異なる各画像変換パラメータに基づいて作成された各第２階調画像に対応する各第３階調画像を前記行方向に配置して表示すると共に、該各目標グレースケール値に対応する前記上下カット閾値及び明るさ補正値が異なる画像変換パラメータに基づいて作成された各第２階調画像に対応する各第３階調画像を前記表示手段の表示画面の縦方向と平行な列方向に配置して表示することを特徴とする請求項４に記載のスタンプ製版用画像処理方法及びラベル印字用画像処理方法。
【請求項６】
コンピュータに、元画像を所定階調数の第１階調画像に変換する第１変換工程と、
前記第１変換工程で作成された第１階調画像に対する複数種類の画像変換パラメータを取得するパラメータ取得工程と、
前記各画像変換パラメータに基づいて前記第１階調画像から複数種類の第２階調画像を作成して格納する第１格納工程と、
前記各第２階調画像にディスプレイキャリブレーションをかけて各第３階調画像に変換し、表示手段を介して表示する表示工程と、
前記表示手段に表示された複数種類の前記第３階調画像から一の第３階調画像を選択する選択工程と、
前記選択工程で選択された第３階調画像に対応する第２階調画像にスタンプ用キャリブレーションをかけて第４階調画像に変換する第２変換工程と、
前記第４階調画像に対して２値化処理を行って製版用画像データを作成する製版用画像データ作成工程と、
を実行させるためのプログラムを記録したコンピュータ読み取り可能な記録媒体。
【請求項７】
コンピュータに、元画像を所定階調数の第１階調画像に変換する第１変換工程と、
前記第１変換工程で作成された第１階調画像に対する複数種類の画像変換パラメータを取得するパラメータ取得工程と、
前記各画像変換パラメータに基づいて前記第１階調画像から複数種類の第２階調画像を作成して格納する第１格納工程と、
前記各第２階調画像にディスプレイキャリブレーションをかけて各第３階調画像に変換し、表示手段を介して表示する表示工程と、
前記表示手段に表示された複数種類の前記第３階調画像から一の第３階調画像を選択する選択工程と、
前記選択工程で選択された第３階調画像に対応する第２階調画像にラベル用キャリブレーションをかけて第５階調画像に変換する第３変換工程と、
前記第５階調画像に対して２値化処理を行ってラベル印字用画像データを作成するラベル印字用画像データ作成工程と、
を実行させるためのプログラムを記録したコンピュータ読み取り可能な記録媒体。
【請求項８】
前記表示工程は、前記各第３階調画像を所定行列上に配置して表示すると共に、前記表示手段の表示画面の横方向と平行な行方向に明るさの変化が少ない第３階調画像を配置して表示することを特徴とする請求項６又は請求項７に記載の記録媒体。
【請求項９】
前記画像変換パラメータは、画像ヒストグラムの平均の目標値を表す目標グレースケール値と、
グレースケール値の上下カット閾値と、
画像ヒストグラムの平行移動量を表す明るさ補正値と、
を含むことを特徴とする請求項６乃至請求項８のいずれかに記載の記録媒体。
【請求項１０】
前記表示工程は、前記目標グレースケール値が異なる各画像変換パラメータに基づいて作成された各第２階調画像に対応する各第３階調画像を前記行方向に配置して表示すると共に、該各目標グレースケール値に対応する前記上下カット閾値及び明るさ補正値が異なる画像変換パラメータに基づいて作成された各第２階調画像に対応する各第３階調画像を前記表示手段の表示画面の縦方向と平行な列方向に配置して表示することを特徴とする請求項９に記載の記録媒体。
【請求項１１】
コンピュータに、元画像を所定階調数の第１階調画像に変換する第１変換工程と、
前記第１変換工程で作成された第１階調画像に対する複数種類の画像変換パラメータを取得するパラメータ取得工程と、
前記各画像変換パラメータに基づいて前記第１階調画像から複数種類の第２階調画像を作成して格納する第１格納工程と、
前記各第２階調画像にディスプレイキャリブレーションをかけて各第３階調画像に変換し、表示手段を介して表示する表示工程と、
前記表示手段に表示された複数種類の前記第３階調画像から一の第３階調画像を選択する選択工程と、
前記選択工程で選択された第３階調画像に対応する第２階調画像にスタンプ用キャリブレーションをかけて第４階調画像に変換する第２変換工程と、
前記第４階調画像に対して２値化処理を行って製版用画像データを作成する製版用画像データ作成工程と、
を実行させるためのプログラム。
【請求項１２】
コンピュータに、元画像を所定階調数の第１階調画像に変換する第１変換工程と、
前記第１変換工程で作成された第１階調画像に対する複数種類の画像変換パラメータを取得するパラメータ取得工程と、
前記各画像変換パラメータに基づいて前記第１階調画像から複数種類の第２階調画像を作成して格納する第１格納工程と、
前記各第２階調画像にディスプレイキャリブレーションをかけて各第３階調画像に変換し、表示手段を介して表示する表示工程と、
前記表示手段に表示された複数種類の前記第３階調画像から一の第３階調画像を選択する選択工程と、
前記選択工程で選択された第３階調画像に対応する第２階調画像にラベル用キャリブレーションをかけて第５階調画像に変換する第３変換工程と、
前記第５階調画像に対して２値化処理を行ってラベル印字用画像データを作成するラベル印字用画像データ作成工程と、
を実行させるためのプログラム。
【請求項１３】
前記表示工程は、前記各第３階調画像を所定行列上に配置して表示すると共に、前記表示手段の表示画面の横方向と平行な行方向に明るさの変化が少ない第３階調画像を配置して表示することを特徴とする請求項１１又は請求項１２に記載のプログラム。
【請求項１４】
前記画像変換パラメータは、画像ヒストグラムの平均の目標値を表す目標グレースケール値と、
グレースケール値の上下カット閾値と、
画像ヒストグラムの平行移動量を表す明るさ補正値と、
を含むことを特徴とする請求項１１乃至請求項１３のいずれかに記載のプログラム。
【請求項１５】
前記表示工程は、前記目標グレースケール値が異なる各画像変換パラメータに基づいて作成された各第２階調画像に対応する各第３階調画像を前記行方向に配置して表示すると共に、該各目標グレースケール値に対応する前記上下カット閾値及び明るさ補正値が異なる画像変換パラメータに基づいて作成された各第２階調画像に対応する各第３階調画像を前記表示手段の表示画面の縦方向と平行な列方向に配置して表示することを特徴とする請求項１４に記載のプログラム。
【発明の詳細な説明】
【技術分野】
【０００１】
本発明は、元画像データから熱可塑性多孔質材料から形成される印材に階調画像を含む印判を形成するための製版用画像データを作成するスタンプ製版用画像処理方法、また、元画像データから被記録媒体にサーマルヘッドを介して階調画像を含む印字データを印字するためのラベル印字用画像データを作成するラベル印字用画像処理方法、更に、これらの各処理方法をコンピュータに実行させるためのプログラム、及び該プログラムを記録したコンピュータ読み取り可能な記録媒体に関するものである。
【背景技術】
【０００２】
従来より、元画像データから熱可塑性多孔質材料から形成される印材に階調画像を含む印判を形成するための製版用画像データを作成するスタンプ製版用画像処理方法、また、元画像データから被記録媒体にサーマルヘッドを介して階調画像を含む印字データを印字するためのラベル印字用画像データを作成するラベル印字用画像処理方法に関し種々提案されている。
例えば、従来の熱可塑性多孔質材料を印材とした印刷用原板を製造する際に行われるスタンプ製版用画像処理方法では、階調数２５６のときの元画像のグレースケール値に対する、得られた２値画像に基づいて変更後の解像度で製版された印刷用原板による印刷濃度比の変化を示す特性曲線の傾きが、グレースケール値で６４以上の連続した範囲で１／２５６以上となるように、階調画像に対する２値化処理、階調画像または２値画像の解像度変更、および、元画像の階調補正のうち少なくとも２値化処理を行うスタンプ製版用画像処理方法がある（例えば、特許文献１参照。）。
【０００３】
そして、このようなスタンプ製版用画像処理方法においては、階調数２５６のときの元画像のグレースケール値に対する所定の（或いは変更された）解像度で製版された印刷用原板による印刷濃度比の変化を示す特性曲線の傾きが、グレースケール値で６４以上の連続した範囲で１／２５６以上となるように２値化処理（これに加えて、必要であれば適切な解像度変更および／または適切な階調補正）を行うことにより、グレースケール値のより広い範囲を階調表現に使用することができて、より階調再現性に優れた印刷画像が得られるようになる。
【特許文献１】特開２００１−１７７７２３号公報（段落（００４１）〜（００７４）、図４〜図１０）
【発明の開示】
【発明が解決しようとする課題】
【０００４】
しかしながら、上述した従来のスタンプ製版用画像処理方法等においては、元画像のグレースケール値に対する所定の特性曲線に基づいて２値化処理等を行うため、当該元画像に対応した階調再現性に優れたスタンプ製版用画像データを作成することができるが、ユーザは、この元画像のスタンプ製版用画像データに基づいて製版後、最終的にスタンプを作成しなければ所望する捺印画像が捺印できるか否か確認できないという問題がある。また、希望する捺印画像と異なる捺印結果になった場合には、多くの画像変換パラメータから構成される画像変換処理をこの元画像に実施後、スタンプを作成して捺印結果を繰り返し確認しなければならないため、この画像変換パラメータの決定に熟練を要すると共に、スタンプ用製版作成の作業が煩雑であるという問題がある。
【０００５】
そこで、本発明は、上述した問題点を解決するためになされたものであり、簡易な操作によって製版前またはラベル印字前にユーザが希望する捺印画像を選択・決定でき、誰でも簡単に該選択した捺印画像の写真スタンプや写真入りラベルを短時間で作成することができるスタンプ製版用画像処理方法、ラベル印字用画像処理方法、記録媒体及びプログラムを提供することを目的とする。
【課題を解決するための手段】
【０００６】
前記目的を達成するため請求項１に係るスタンプ製版用画像処理方法は、熱可塑性多孔質材料から形成される印材に階調画像を含む印判を形成するための製版用画像データを作成するスタンプ製版用画像処理方法において、元画像を所定階調数の第１階調画像に変換する第１変換工程と、前記第１変換工程で作成された第１階調画像に対する複数種類の画像変換パラメータを取得するパラメータ取得工程と、前記各画像変換パラメータに基づいて前記第１階調画像から複数種類の第２階調画像を作成して格納する第１格納工程と、前記各第２階調画像にディスプレイキャリブレーションをかけて各第３階調画像に変換し、表示手段を介して表示する表示工程と、前記表示手段に表示された複数種類の前記第３階調画像から一の第３階調画像を選択する選択工程と、前記選択工程で選択された第３階調画像に対応する第２階調画像にスタンプ用キャリブレーションをかけて第４階調画像に変換する第２変換工程と、前記第４階調画像に対して２値化処理を行って製版用画像データを作成する製版用画像データ作成工程と、を備えたことを特徴とする。
【０００７】
このような特徴を有する請求項１に係るスタンプ製版用画像処理方法によれば、第１変換工程で元画像を所定階調数の第１階調画像に変換すると共に、パラメータ取得工程で該第１階調画像に対する複数種類の画像変換パラメータを取得する。そして、第１格納工程で各画像変換パラメータに基づいて第１階調画像から複数種類の第２階調画像を作成して格納後、表示工程で各第２階調画像にディスプレイキャリブレーションをかけて各第３階調画像に変換し、表示手段を介して表示する。また、選択工程において、この表示手段に表示された複数種類の第３階調画像から一の第３階調画像が選択される。その後、第２変換工程で該選択工程で選択された第３階調画像に対応する第２階調画像にスタンプ用キャリブレーションをかけて第４階調画像に変換した後、製版用画像データ作成工程において、この第４階調画像に対して２値化処理を行って製版用画像データが作成される。
【０００８】
また、請求項２に係るラベル印字用画像処理方法は、被記録媒体にサーマルヘッドを介して階調画像を含む印字データを印字するためのラベル印字用画像データを作成するラベル印字用画像処理方法において、元画像を所定階調数の第１階調画像に変換する第１変換工程と、前記第１変換工程で作成された第１階調画像に対する複数種類の画像変換パラメータを取得するパラメータ取得工程と、前記各画像変換パラメータに基づいて前記第１階調画像から複数種類の第２階調画像を作成して格納する第１格納工程と、前記各第２階調画像にディスプレイキャリブレーションをかけて各第３階調画像に変換し、表示手段を介して表示する表示工程と、前記表示手段に表示された複数種類の前記第３階調画像から一の第３階調画像を選択する選択工程と、前記選択工程で選択された第３階調画像に対応する第２階調画像にラベル用キャリブレーションをかけて第５階調画像に変換する第３変換工程と、前記第５階調画像に対して２値化処理を行ってラベル印字用画像データを作成するラベル印字用画像データ作成工程と、を備えたことを特徴とする。
【０００９】
このような特徴を有する請求項２に係るラベル印字用画像処理方法によれば、第１変換工程で元画像を所定階調数の第１階調画像に変換すると共に、パラメータ取得工程で該第１階調画像に対する複数種類の画像変換パラメータを取得する。そして、第１格納工程で各画像変換パラメータに基づいて第１階調画像から複数種類の第２階調画像を作成して格納後、表示工程で各第２階調画像にディスプレイキャリブレーションをかけて各第３階調画像に変換し、表示手段を介して表示する。また、選択工程において、この表示手段に表示された複数種類の第３階調画像から一の第３階調画像が選択される。その後、第３変換工程で該選択工程で選択された第３階調画像に対応する第２階調画像にラベル用キャリブレーションをかけて第５階調画像に変換した後、ラベル印字用画像データ作成工程において、この第５階調画像に対して２値化処理を行ってラベル印字用画像データが作成される。
【００１０】
また、請求項３に係るスタンプ製版用画像処理方法及びラベル印字用画像処理方法は、請求項１に記載のスタンプ製版用画像処理方法又は請求項２に記載のラベル印字用画像処理方法において、前記表示工程は、前記各第３階調画像を所定行列上に配置して表示すると共に、前記表示手段の表示画面の横方向と平行な行方向に明るさの変化が少ない第３階調画像を配置して表示することを特徴とする。
【００１１】
このような特徴を有する請求項３に係るスタンプ製版用画像処理方法及びラベル印字用画像処理方法によれば、表示手段の表示画面に各第３階調画像が所定行列上に配置されて表示される。また、この表示画面の横方向と平行な行方向に明るさの変化が少ない第３階調画像が配置されて表示される。
【００１２】
また、請求項４に係るスタンプ製版用画像処理方法及びラベル印字用画像処理方法は、前記画像変換パラメータは、画像ヒストグラムの平均の目標値を表す目標グレースケール値と、グレースケール値の上下カット閾値と、画像ヒストグラムの平行移動量を表す明るさ補正値と、を含むことを特徴とする。
【００１３】
このような特徴を有する請求項４に係るスタンプ製版用画像処理方法及びラベル印字用画像処理方法では、画像変換パラメータは、画像ヒストグラムの平均の目標値を表す目標グレースケール値と、グレースケール値の上下カット閾値と、画像ヒストグラムの平行移動量を表す明るさ補正値とから構成されている。
【００１４】
また、請求項５に係るスタンプ製版用画像処理方法及びラベル印字用画像処理方法は、請求項４に記載のスタンプ製版用画像処理方法及びラベル印字用画像処理方法において、前記表示工程は、前記目標グレースケール値が異なる各画像変換パラメータに基づいて作成された各第２階調画像に対応する各第３階調画像を前記行方向に配置して表示すると共に、該各目標グレースケール値に対応する前記上下カット閾値及び明るさ補正値が異なる画像変換パラメータに基づいて作成された各第２階調画像に対応する各第３階調画像を前記表示手段の表示画面の縦方向と平行な列方向に配置して表示することを特徴とする。
【００１５】
このような特徴を有する請求項５に係るスタンプ製版用画像処理方法及びラベル印字用画像処理方法では、目標グレースケール値が異なる各画像変換パラメータに基づいて作成された各第２階調画像に対応する各第３階調画像が表示手段の表示画面横方向に配置されて表示されると共に、該各目標グレースケール値に対応する上下カット閾値及び明るさ補正値が異なる画像変換パラメータに基づいて作成された各第２階調画像に対応する各第３階調画像が表示手段の表示画面縦方向に配置されて表示される。
【００１６】
また、請求項６に係る記録媒体は、コンピュータに、元画像を所定階調数の第１階調画像に変換する第１変換工程と、前記第１変換工程で作成された第１階調画像に対する複数種類の画像変換パラメータを取得するパラメータ取得工程と、前記各画像変換パラメータに基づいて前記第１階調画像から複数種類の第２階調画像を作成して格納する第１格納工程と、前記各第２階調画像にディスプレイキャリブレーションをかけて各第３階調画像に変換し、表示手段を介して表示する表示工程と、前記表示手段に表示された複数種類の前記第３階調画像から一の第３階調画像を選択する選択工程と、前記選択工程で選択された第３階調画像に対応する第２階調画像にスタンプ用キャリブレーションをかけて第４階調画像に変換する第２変換工程と、前記第４階調画像に対して２値化処理を行って製版用画像データを作成する製版用画像データ作成工程と、を実行させるためのプログラムを記録したコンピュータ読み取り可能な記録媒体である。
【００１７】
このような請求項６に係る記録媒体では、コンピュータは当該記録媒体に記録されたプログラムを読み込むことによって、該コンピュータは第１変換工程の処理を実行して、元画像を所定階調数の第１階調画像に変換すると共に、パラメータ取得工程の処理を実行して、該第１階調画像に対する複数種類の画像変換パラメータを取得する。そして、コンピュータは第１格納工程の処理を実行して、各画像変換パラメータに基づいて第１階調画像から複数種類の第２階調画像を作成して格納後、表示工程の処理を実行して、各第２階調画像にディスプレイキャリブレーションをかけて各第３階調画像に変換し、表示手段を介して表示する。また、コンピュータは選択工程の処理を実行して、この表示手段に表示された複数種類の第３階調画像から一の第３階調画像が選択される。その後、コンピュータは第２変換工程の処理を実行して、該選択工程で選択された第３階調画像に対応する第２階調画像にスタンプ用キャリブレーションをかけて第４階調画像に変換した後、製版用画像データ作成工程の処理を実行して、この第４階調画像に対して２値化処理を行って製版用画像データを作成する。
【００１８】
また、請求項７に係る記録媒体は、コンピュータに、元画像を所定階調数の第１階調画像に変換する第１変換工程と、前記第１変換工程で作成された第１階調画像に対する複数種類の画像変換パラメータを取得するパラメータ取得工程と、前記各画像変換パラメータに基づいて前記第１階調画像から複数種類の第２階調画像を作成して格納する第１格納工程と、前記各第２階調画像にディスプレイキャリブレーションをかけて各第３階調画像に変換し、表示手段を介して表示する表示工程と、前記表示手段に表示された複数種類の前記第３階調画像から一の第３階調画像を選択する選択工程と、前記選択工程で選択された第３階調画像に対応する第２階調画像にラベル用キャリブレーションをかけて第５階調画像に変換する第３変換工程と、前記第５階調画像に対して２値化処理を行ってラベル印字用画像データを作成するラベル印字用画像データ作成工程と、を実行させるためのプログラムを記録したコンピュータ読み取り可能な記録媒体である。
【００１９】
このような請求項７に係る記録媒体では、コンピュータは当該記録媒体に記録されたプログラムを読み込むことによって、該コンピュータは第１変換工程の処理を実行して、元画像を所定階調数の第１階調画像に変換すると共に、パラメータ取得工程の処理を実行して、該第１階調画像に対する複数種類の画像変換パラメータを取得する。そして、コンピュータは第１格納工程の処理を実行して、各画像変換パラメータに基づいて第１階調画像から複数種類の第２階調画像を作成して格納後、表示工程の処理を実行して、各第２階調画像にディスプレイキャリブレーションをかけて各第３階調画像に変換し、表示手段を介して表示する。また、コンピュータは選択工程の処理を実行して、この表示手段に表示された複数種類の第３階調画像から一の第３階調画像が選択される。その後、コンピュータは第３変換工程の処理を実行して、該選択工程で選択された第３階調画像に対応する第２階調画像にラベル用キャリブレーションをかけて第５階調画像に変換した後、ラベル印字用画像データ作成工程の処理を実行して、この第４階調画像に対して２値化処理を行ってラベル印字用画像データを作成する。
【００２０】
また、請求項８に係る記録媒体は、請求項６又は請求項７に記載の記録媒体において、前記表示工程は、前記各第３階調画像を所定行列上に配置して表示すると共に、前記表示手段の表示画面の横方向と平行な行方向に明るさの変化が少ない第３階調画像を配置して表示することを特徴とする。
【００２１】
このような特徴を有する請求項８に係る記録媒体では、コンピュータは当該記録媒体に記録されたプログラムを読み込むことによって、該コンピュータは表示手段の表示画面に各第３階調画像を所定行列上に配置して表示する。また、該コンピュータはこの表示画面の横方向と平行な行方向に明るさの変化が少ない第３階調画像を配置して表示する。
【００２２】
また、請求項９に係る記録媒体は、請求項６乃至請求項８のいずれかに記載の記録媒体において、前記画像変換パラメータは、画像ヒストグラムの平均の目標値を表す目標グレースケール値と、グレースケール値の上下カット閾値と、画像ヒストグラムの平行移動量を表す明るさ補正値と、を含むことを特徴とする。
【００２３】
このような特徴を有する請求項９に係る記録媒体では、コンピュータは当該記録媒体に記録されたプログラムを読み込むことによって、該コンピュータはパラメータ取得工程の処理を実行して、第１階調画像に対する複数種類の画像変換パラメータとして画像ヒストグラムの平均の目標値を表す目標グレースケール値と、グレースケール値の上下カット閾値と、画像ヒストグラムの平行移動量を表す明るさ補正値とを取得する。
【００２４】
また、請求項１０に係る記録媒体は、請求項９に記載の記録媒体において、前記表示工程は、前記目標グレースケール値が異なる各画像変換パラメータに基づいて作成された各第２階調画像に対応する各第３階調画像を前記行方向に配置して表示すると共に、該各目標グレースケール値に対応する前記上下カット閾値及び明るさ補正値が異なる画像変換パラメータに基づいて作成された各第２階調画像に対応する各第３階調画像を前記表示手段の表示画面の縦方向と平行な列方向に配置して表示することを特徴とする。
【００２５】
このような特徴を有する請求項１０に係る記録媒体では、コンピュータは当該記録媒体に記録されたプログラムを読み込むことによって、該コンピュータは表示工程の処理を実行して、目標グレースケール値が異なる各画像変換パラメータに基づいて作成した各第２階調画像に対応する各第３階調画像を表示手段の表示画面横方向に配置して表示すると共に、該各目標グレースケール値に対応する上下カット閾値及び明るさ補正値が異なる画像変換パラメータに基づいて作成した各第２階調画像に対応する各第３階調画像を表示手段の表示画面縦方向に配置して表示する。
【００２６】
また、請求項１１に係るプログラムは、コンピュータに、元画像を所定階調数の第１階調画像に変換する第１変換工程と、前記第１変換工程で作成された第１階調画像に対する複数種類の画像変換パラメータを取得するパラメータ取得工程と、前記各画像変換パラメータに基づいて前記第１階調画像から複数種類の第２階調画像を作成して格納する第１格納工程と、前記各第２階調画像にディスプレイキャリブレーションをかけて各第３階調画像に変換し、表示手段を介して表示する表示工程と、前記表示手段に表示された複数種類の前記第３階調画像から一の第３階調画像を選択する選択工程と、前記選択工程で選択された第３階調画像に対応する第２階調画像にスタンプ用キャリブレーションをかけて第４階調画像に変換する第２変換工程と、前記第４階調画像に対して２値化処理を行って製版用画像データを作成する製版用画像データ作成工程と、を実行させるためのプログラムである。
【００２７】
このような請求項１１に係るプログラムでは、コンピュータは当該プログラムを読み込むことによって、該コンピュータは第１変換工程の処理を実行して、元画像を所定階調数の第１階調画像に変換すると共に、パラメータ取得工程の処理を実行して、該第１階調画像に対する複数種類の画像変換パラメータを取得する。そして、コンピュータは第１格納工程の処理を実行して、各画像変換パラメータに基づいて第１階調画像から複数種類の第２階調画像を作成して格納後、表示工程の処理を実行して、各第２階調画像にディスプレイキャリブレーションをかけて各第３階調画像に変換し、表示手段を介して表示する。また、コンピュータは選択工程の処理を実行して、この表示手段に表示された複数種類の第３階調画像から一の第３階調画像が選択される。その後、コンピュータは第２変換工程の処理を実行して、該選択工程で選択された第３階調画像に対応する第２階調画像にスタンプ用キャリブレーションをかけて第４階調画像に変換した後、製版用画像データ作成工程の処理を実行して、この第４階調画像に対して２値化処理を行って製版用画像データを作成する。
【００２８】
また、請求項１２に係るプログラムは、コンピュータに、元画像を所定階調数の第１階調画像に変換する第１変換工程と、前記第１変換工程で作成された第１階調画像に対する複数種類の画像変換パラメータを取得するパラメータ取得工程と、前記各画像変換パラメータに基づいて前記第１階調画像から複数種類の第２階調画像を作成して格納する第１格納工程と、前記各第２階調画像にディスプレイキャリブレーションをかけて各第３階調画像に変換し、表示手段を介して表示する表示工程と、前記表示手段に表示された複数種類の前記第３階調画像から一の第３階調画像を選択する選択工程と、前記選択工程で選択された第３階調画像に対応する第２階調画像にラベル用キャリブレーションをかけて第５階調画像に変換する第３変換工程と、前記第５階調画像に対して２値化処理を行ってラベル印字用画像データを作成するラベル印字用画像データ作成工程と、を実行させるためのプログラムである。
【００２９】
このような請求項１２に係るプログラムでは、コンピュータは当該プログラムを読み込むことによって、該コンピュータは第１変換工程の処理を実行して、元画像を所定階調数の第１階調画像に変換すると共に、パラメータ取得工程の処理を実行して、該第１階調画像に対する複数種類の画像変換パラメータを取得する。そして、コンピュータは第１格納工程の処理を実行して、各画像変換パラメータに基づいて第１階調画像から複数種類の第２階調画像を作成して格納後、表示工程の処理を実行して、各第２階調画像にディスプレイキャリブレーションをかけて各第３階調画像に変換し、表示手段を介して表示する。また、コンピュータは選択工程の処理を実行して、この表示手段に表示された複数種類の第３階調画像から一の第３階調画像が選択される。その後、コンピュータは第３変換工程の処理を実行して、該選択工程で選択された第３階調画像に対応する第２階調画像にラベル用キャリブレーションをかけて第５階調画像に変換した後、ラベル印字用画像データ作成工程の処理を実行して、この第４階調画像に対して２値化処理を行ってラベル印字用画像データを作成する。
【００３０】
また、請求項１３に係るプログラムは、請求項１１又は請求項１２に記載のプログラムにおいて、前記表示工程は、前記各第３階調画像を所定行列上に配置して表示すると共に、前記表示手段の表示画面の横方向と平行な行方向に明るさの変化が少ない第３階調画像を配置して表示することを特徴とする。
【００３１】
このような特徴を有する請求項１３に係るプログラムでは、コンピュータは当該プログラムを読み込むことによって、該コンピュータは表示手段の表示画面に各第３階調画像を所定行列上に配置して表示する。また、該コンピュータはこの表示画面の横方向と平行な行方向に明るさの変化が少ない第３階調画像を配置して表示する。
【００３２】
また、請求項１４に係るプログラムは、請求項１１乃至請求項１３のいずれかに記載のプログラムにおいて、前記画像変換パラメータは、画像ヒストグラムの平均の目標値を表す目標グレースケール値と、グレースケール値の上下カット閾値と、画像ヒストグラムの平行移動量を表す明るさ補正値と、を含むことを特徴とする。
【００３３】
このような特徴を有する請求項１４に係るプログラムでは、コンピュータは当該プログラムを読み込むことによって、該コンピュータはパラメータ取得工程の処理を実行して、第１階調画像に対する複数種類の画像変換パラメータとして画像ヒストグラムの平均の目標値を表す目標グレースケール値と、グレースケール値の上下カット閾値と、画像ヒストグラムの平行移動量を表す明るさ補正値とを取得する。
【００３４】
更に、請求項１５に係るプログラムは、請求項１４に記載のプログラムにおいて、前記表示工程は、前記目標グレースケール値が異なる各画像変換パラメータに基づいて作成された各第２階調画像に対応する各第３階調画像を前記行方向に配置して表示すると共に、該各目標グレースケール値に対応する前記上下カット閾値及び明るさ補正値が異なる画像変換パラメータに基づいて作成された各第２階調画像に対応する各第３階調画像を前記表示手段の表示画面の縦方向と平行な列方向に配置して表示することを特徴とする。
【００３５】
このような特徴を有する請求項１５に係るプログラムでは、コンピュータは当該プログラムを読み込むことによって、該コンピュータは表示工程の処理を実行して、目標グレースケール値が異なる各画像変換パラメータに基づいて作成した各第２階調画像に対応する各第３階調画像を表示手段の表示画面横方向に配置して表示すると共に、該各目標グレースケール値に対応する上下カット閾値及び明るさ補正値が異なる画像変換パラメータに基づいて作成した各第２階調画像に対応する各第３階調画像を表示手段の表示画面縦方向に配置して表示する。
【発明の効果】
【００３６】
請求項１に係るスタンプ製版用画像処理方法では、第１変換工程で元画像を所定階調数の第１階調画像に変換後、パラメータ取得工程、第１格納工程及び表示工程によって、各画像変換パラメータに基づいて第１階調画像から複数種類の第２階調画像が作成されると共に、この各第２階調画像にディスプレイキャリブレーションをかけて各第３階調画像に変換して、該第３階調画像が表示手段を介して表示されるため、ユーザは元画像から作成される各第２階調画像を表示手段を介して容易且つ正確に確認することができる。また、選択工程において、表示手段に表示された複数種類の第３階調画像から一の第３階調画像を選択できるため、ユーザは希望する捺印画像を簡易な操作によって製版前に選択・決定でき、捺印画像決定処理の簡易化及び短時間化を図ることができる。更に、第２変換工程及び製版用画像データ作成工程によって、この選択された第３階調画像に対応する第２階調画像にスタンプ用キャリブレーションをかけて第４階調画像に変換後、この第４階調画像に対して２値化処理を行って製版用画像データが自動的に作成されるため、ユーザは希望する捺印画像を表示手段を介して選択するだけで、該捺印画像の写真スタンプを作成することができ、誰でも簡単に捺印画像の写真スタンプを短時間で作成することができる。
【００３７】
また、請求項２に係るラベル印字用画像処理方法では、第１変換工程で元画像を所定階調数の第１階調画像に変換後、パラメータ取得工程、第１格納工程及び表示工程によって、各画像変換パラメータに基づいて第１階調画像から複数種類の第２階調画像が作成されると共に、この各第２階調画像にディスプレイキャリブレーションをかけて各第３階調画像に変換して、該第３階調画像が表示手段を介して表示されるため、ユーザは元画像から作成される各第２階調画像を表示手段を介して容易且つ正確に確認することができる。また、選択工程において、表示手段に表示された複数種類の第３階調画像から一の第３階調画像を選択できるため、ユーザはラベル印字画像を簡易な操作によってラベル印字前に選択・決定でき、ラベルの印字画像決定処理の簡易化及び短時間化を図ることができる。更に、第３変換工程及びラベル印字用画像データ作成工程によって、この選択された第３階調画像に対応する第２階調画像にラベル用キャリブレーションをかけて第５階調画像に変換後、この第５階調画像に対して２値化処理を行ってラベル印字用画像データが自動的に作成されるため、ユーザは希望するラベル印字画像を表示手段を介して選択するだけで、該ラベル印字画像の写真入りラベルを作成することができ、誰でも簡単に写真入りラベルを短時間で作成することができる。
【００３８】
また、請求項３に係るスタンプ製版用画像処理方法及びラベル印字用画像処理方法では、表示手段の表示画面に各第３階調画像が所定行列上に配置されて表示されるため、ユーザは容易に各第３階調画像を比較でき、希望する捺印画像を簡単に選択することができる。また、表示画面の横方向と平行な行方向に明るさの変化が少ない第３階調画像が配置されて表示されるため、液晶表示装置等の画面表示特性による視差角の影響が無くなり、ユーザは各第３階調画像の明るさの微妙な差を正確に認識することができ、希望する捺印画像をより正確に選択・決定できる。
【００３９】
また、請求項４に係るスタンプ製版用画像処理方法及びラベル印字用画像処理方法では、画像変換パラメータとして画像ヒストグラムの平均の目標値を表す目標グレースケール値を採用することにより、明るさの変化が少ない捺印画像や表示画像に対応する第２階調画像を容易に作成することができる。また、画像変換パラメータとしてグレースケール値の上下カット閾値を採用することにより、コントラストを大きく変化させた捺印画像に対応する第２階調画像を容易に作成することができる。また、画像変換パラメータとして画像ヒストグラムの平行移動量を表す明るさ補正値を採用することにより、画像全体の明るさを大きく変化させた捺印画像に対応する第２階調画像を容易に作成することができる。
【００４０】
また、請求項５に係るスタンプ製版用画像処理方法及びラベル印字用画像処理方法では、目標グレースケール値が異なる各画像変換パラメータに基づいて作成された各第２階調画像に対応する各第３階調画像が表示手段の表示画面横方向に配置されるため、表示画面の横方向に捺印画像の明るさの変化が小さい第３階調画像を容易に表示することができる。また、目標グレースケール値、上下カット閾値及び明るさ補正値の３種類の画像変換パラメータのうち、目標グレースケール値の異なる第３階調画像を表示画面横方向に配置し、上下カット閾値及び明るさ補正値の異なる第３階調画像を表示画面縦方向に配置して表示するため、該３種類の画像変換パラメータから構成される各第３階調画像を行列上に配置して表示することができ、ユーザは捺印画像やラベル印字画像を更に容易に選択・決定することができる。また、上下カット閾値及び明るさ補正値の異なる第３階調画像を表示画面縦方向に配置して表示するため、コントラスト及び画像全体の明るさを大きく変化させた捺印画像を表示画面縦方向に配置することができ（例えば、明るい捺印画像を表示画面上方に配置し、暗い捺印画像を画面下方に配置することができる。）、ユーザは希望する捺印画像を更に正確且つ直感的に選択・決定することができる。
【００４１】
また、請求項６に係る記録媒体では、コンピュータは当該記録媒体に記録されたプログラムを読み込むことによって、該コンピュータは第１変換工程の処理を実行して、元画像を所定階調数の第１階調画像に変換後、パラメータ取得工程、第１格納工程及び表示工程の処理を実行して、各画像変換パラメータに基づいて第１階調画像から複数種類の第２階調画像を作成すると共に、この各第２階調画像にディスプレイキャリブレーションをかけて各第３階調画像に変換して、該第３階調画像を表示手段を介して表示するため、ユーザは元画像から作成される各第２階調画像を表示手段を介して容易且つ正確に確認することができる。また、該コンピュータが選択工程の処理を実行することによって、表示手段に表示された複数種類の第３階調画像から一の第３階調画像を選択できるため、ユーザは希望する捺印画像を簡易な操作によって製版前に選択・決定でき、捺印画像決定処理の簡易化及び短時間化を図ることができる。更に、該コンピュータが第２変換工程及び製版用画像データ作成工程の処理を実行することによって、この選択された第３階調画像に対応する第２階調画像にスタンプ用キャリブレーションをかけて第４階調画像に変換後、この第４階調画像に対して２値化処理を行って製版用画像データが自動的に作成されるため、ユーザは希望する捺印画像を表示手段を介して選択するだけで、該捺印画像の写真スタンプを作成することができ、誰でも簡単に捺印画像の写真スタンプを短時間で作成することができる。
【００４２】
また、請求項７に係る記録媒体では、コンピュータは当該記録媒体に記録されたプログラムを読み込むことによって、該コンピュータは第１変換工程の処理を実行して、元画像を所定階調数の第１階調画像に変換後、パラメータ取得工程、第１格納工程及び表示工程の処理を実行して、各画像変換パラメータに基づいて第１階調画像から複数種類の第２階調画像を作成すると共に、この各第２階調画像にディスプレイキャリブレーションをかけて各第３階調画像に変換して、該第３階調画像を表示手段を介して表示するため、ユーザは元画像から作成される各第２階調画像を表示手段を介して容易且つ正確に確認することができる。また、該コンピュータが選択工程の処理を実行することによって、表示手段に表示された複数種類の第３階調画像から一の第３階調画像を選択できるため、ユーザは希望するラベル印字画像を簡易な操作によってラベル印字前に選択・決定でき、ラベル印字画像決定処理の簡易化及び短時間化を図ることができる。更に、該コンピュータが第３変換工程及びラベル印字用画像データ作成工程の処理を実行することによって、この選択された第３階調画像に対応する第２階調画像にラベル用キャリブレーションをかけて第５階調画像に変換後、この第５階調画像に対して２値化処理を行ってラベル印字用画像データが自動的に作成されるため、ユーザは希望するラベル印字画像を表示手段を介して選択するだけで、該ラベル印字画像の写真入りラベルを作成することができ、誰でも簡単に写真入りラベルを短時間で作成することができる。
【００４３】
また、請求項８に係る記録媒体では、コンピュータは当該記録媒体に記録されたプログラムを読み込むことによって、該コンピュータは表示手段の表示画面に各第３階調画像を所定行列上に配置して表示するため、ユーザは容易に各第３階調画像を比較でき、希望する捺印画像やラベル印字画像を簡単に選択することができる。また、該コンピュータは表示画面の横方向と平行な行方向に明るさの変化が少ない第３階調画像を配置して表示するため、液晶表示装置等の画面表示特性による視差角の影響が無くなり、ユーザは各第３階調画像の明るさの微妙な差を正確に認識することができ、希望する捺印画像をより正確に選択・決定できる。
【００４４】
また、請求項９に係る記録媒体では、コンピュータは当該記録媒体に記録されたプログラムを読み込むことによって、該コンピュータは画像変換パラメータとして画像ヒストグラムの平均の目標値を表す目標グレースケール値を取得するため、第１格納工程の処理を実行することによって、明るさの変化が少ない捺印画像や表示画像に対応する第２階調画像を容易に作成することができる。また、該コンピュータは画像変換パラメータとしてグレースケール値の上下カット閾値を取得するため、第１格納工程の処理を実行することによって、コントラストを大きく変化させた捺印画像に対応する第２階調画像を容易に作成することができる。また、該コンピュータは画像変換パラメータとして画像ヒストグラムの平行移動量を表す明るさ補正値を取得するため、第１格納工程の処理を実行することによって、画像全体の明るさを大きく変化させた捺印画像に対応する第２階調画像を容易に作成することができる。
【００４５】
また、請求項１０に係る記録媒体では、コンピュータは当該記録媒体に記録されたプログラムを読み込むことによって、該コンピュータは表示工程の処理を実行して、目標グレースケール値が異なる各画像変換パラメータに基づいて作成した各第２階調画像に対応する各第３階調画像を表示手段の表示画面横方向に配置するため、表示画面の横方向に捺印画像の明るさの変化が小さい第３階調画像を容易に表示することができる。また、該コンピュータは表示工程の処理を実行して、目標グレースケール値、上下カット閾値及び明るさ補正値の３種類の画像変換パラメータのうち、目標グレースケール値の異なる第３階調画像を表示画面横方向に配置し、上下カット閾値及び明るさ補正値の異なる第３階調画像を表示画面縦方向に配置して表示するため、該３種類の画像変換パラメータから構成される各第３階調画像を行列上に配置して表示することができ、ユーザは捺印画像やラベル印字画像を更に容易に選択・決定することができる。また、該コンピュータは表示工程の処理を実行して、上下カット閾値及び明るさ補正値の異なる第３階調画像を表示画面縦方向に配置して表示するため、コントラスト及び画像全体の明るさを大きく変化させた捺印画像を表示画面縦方向に配置することができ（例えば、明るい捺印画像を表示画面上方に配置し、暗い捺印画像を画面下方に配置することができる。）、ユーザは希望する捺印画像を更に正確且つ直感的に選択・決定することができる。
【００４６】
また、請求項１１に係るプログラムでは、コンピュータは当該プログラムを読み込むことによって、該コンピュータは第１変換工程の処理を実行して、元画像を所定階調数の第１階調画像に変換後、パラメータ取得工程、第１格納工程及び表示工程の処理を実行して、各画像変換パラメータに基づいて第１階調画像から複数種類の第２階調画像を作成すると共に、この各第２階調画像にディスプレイキャリブレーションをかけて各第３階調画像に変換して、該第３階調画像を表示手段を介して表示するため、ユーザは元画像から作成される各第２階調画像を表示手段を介して容易且つ正確に確認することができる。また、該コンピュータが選択工程の処理を実行することによって、表示手段に表示された複数種類の第３階調画像から一の第３階調画像を選択できるため、ユーザは希望する捺印画像を簡易な操作によって製版前に選択・決定でき、捺印画像決定処理の簡易化及び短時間化を図ることができる。更に、該コンピュータが第２変換工程及び製版用画像データ作成工程の処理を実行することによって、この選択された第３階調画像に対応する第２階調画像にスタンプ用キャリブレーションをかけて第４階調画像に変換後、この第４階調画像に対して２値化処理を行って製版用画像データが自動的に作成されるため、ユーザは希望する捺印画像を表示手段を介して選択するだけで、該捺印画像の写真スタンプを作成することができ、誰でも簡単に捺印画像の写真スタンプを短時間で作成することができる。
【００４７】
また、請求項１２に係るプログラムでは、コンピュータは当該プログラムを読み込むことによって、該コンピュータは第１変換工程の処理を実行して、元画像を所定階調数の第１階調画像に変換後、パラメータ取得工程、第１格納工程及び表示工程の処理を実行して、各画像変換パラメータに基づいて第１階調画像から複数種類の第２階調画像を作成すると共に、この各第２階調画像にディスプレイキャリブレーションをかけて各第３階調画像に変換して、該第３階調画像を表示手段を介して表示するため、ユーザは元画像から作成される各第２階調画像を表示手段を介して容易且つ正確に確認することができる。また、該コンピュータが選択工程の処理を実行することによって、表示手段に表示された複数種類の第３階調画像から一の第３階調画像を選択できるため、ユーザは希望するラベル印字画像を簡易な操作によってラベル印字前に選択・決定でき、ラベル印字画像決定処理の簡易化及び短時間化を図ることができる。更に、該コンピュータが第３変換工程及びラベル印字用画像データ作成工程の処理を実行することによって、この選択された第３階調画像に対応する第２階調画像にラベル用キャリブレーションをかけて第５階調画像に変換後、この第５階調画像に対して２値化処理を行ってラベル印字用画像データが自動的に作成されるため、ユーザは希望するラベル印字画像を表示手段を介して選択するだけで、該ラベル印字画像の写真入りラベルを作成することができ、誰でも簡単に写真入りラベルを短時間で作成することができる。
【００４８】
また、請求項１３に係るプログラムでは、コンピュータは当該プログラムを読み込むことによって、該コンピュータは表示手段の表示画面に各第３階調画像を所定行列上に配置して表示するため、ユーザは容易に各第３階調画像を比較でき、希望する捺印画像及びラベル印字画像を簡単に選択することができる。また、該コンピュータは表示画面の横方向と平行な行方向に明るさの変化が少ない第３階調画像を配置して表示するため、液晶表示装置等の画面表示特性による視差角の影響が無くなり、ユーザは各第３階調画像の明るさの微妙な差を正確に認識することができ、希望する捺印画像をより正確に選択・決定できる。
【００４９】
また、請求項１４に係るプログラムでは、コンピュータは当該プログラムを読み込むことによって、該コンピュータは画像変換パラメータとして画像ヒストグラムの平均の目標値を表す目標グレースケール値を取得するため、第１格納工程の処理を実行することによって、明るさの変化が少ない捺印画像や表示画像に対応する第２階調画像を容易に作成することができる。また、該コンピュータは画像変換パラメータとしてグレースケール値の上下カット閾値を取得するため、第１格納工程の処理を実行することによって、コントラストを大きく変化させた捺印画像に対応する第２階調画像を容易に作成することができる。また、該コンピュータは画像変換パラメータとして画像ヒストグラムの平行移動量を表す明るさ補正値を取得するため、第１格納工程の処理を実行することによって、画像全体の明るさを大きく変化させた捺印画像に対応する第２階調画像を容易に作成することができる。
【００５０】
更に、請求項１５に係るプログラムでは、コンピュータは当該記プログラムを読み込むことによって、該コンピュータは表示工程の処理を実行して、目標グレースケール値が異なる各画像変換パラメータに基づいて作成した各第２階調画像に対応する各第３階調画像を表示手段の表示画面横方向に配置するため、表示画面の横方向に捺印画像の明るさの変化が小さい第３階調画像を容易に表示することができる。また、該コンピュータは表示工程の処理を実行して、目標グレースケール値、上下カット閾値及び明るさ補正値の３種類の画像変換パラメータのうち、目標グレースケール値の異なる第３階調画像を表示画面横方向に配置し、上下カット閾値及び明るさ補正値の異なる第３階調画像を表示画面縦方向に配置して表示するため、該３種類の画像変換パラメータから構成される各第３階調画像を行列上に配置して表示することができ、ユーザは捺印画像やラベル印字画像を更に容易に選択・決定することができる。また、該コンピュータは表示工程の処理を実行して、上下カット閾値及び明るさ補正値の異なる第３階調画像を表示画面縦方向に配置して表示するため、コントラスト及び画像全体の明るさを大きく変化させた捺印画像を表示画面縦方向に配置することができ（例えば、明るい捺印画像を表示画面上方に配置し、暗い捺印画像を画面下方に配置することができる。）、ユーザは希望する捺印画像を更に正確且つ直感的に選択・決定することができる。
【発明を実施するための最良の形態】
【００５１】
以下、本発明に係るスタンプ製版用画像処理方法、ラベル印字用画像処理方法、記録媒体及びプログラムについて具体化したスタンプ製版システムに基づき図面を参照しつつ詳細に説明する。
【実施例１】
【００５２】
先ず、本実施形態に係るスタンプ製版システムの概略構成について図１乃至図５に基づき説明する。
図１に示すように、スタンプ製版システム１は、画像処理装置であるコンピュータ装置２と、このコンピュータ装置２とインターフェースケーブルＳ１を介して接続されて熱可塑性多孔質材料を印材としたスタンプを製造する公知のスタンプ作成装置３（例えば、本出願人による特開２０００−１０３１５２号公報、特開２００１−１７７７２３号公報に開示されている。）とから構成されている。
また、コンピュータ装置２は、液晶表示装置（ＬＣＤ）５、キーボード６、マウス７、イメージスキャナ８等から構成されている。尚、マウス７は、ジョイスティックやトラックボール等に置き換えてもよい。また、ＣＤ−Ｒ／Ｗ９は、ＭＯ装置、ＤＶＤ装置等に置き換えてもよい。
【００５３】
また、スタンプ作成装置３は、装置本体１１に対して着脱可能であって透明の原稿フィルムを複数枚収納可能なフィルムマガジン１２と、フィルムマガジン１２の近傍の装置本体１１に設けられた印版識別（ＩＤ）ラベル用のカットシートの供給口１３と、サーマルヘッド１５を備えた印刷部１４と、印刷された原稿フィルムに基づいてスタンプ本体（図示せず）の下面に配された印材（図示せず）に印面を形成するためのスタンプ製版部１６と、スタンプ製版部１６の近傍の装置本体１１に設けられたカットシートおよび原稿フィルムの排出口１８とを有している。
また、スタンプ製版部１６下方には、キセノン管（図示せず）を具備した発光ユニット１９が着脱自在に設けられている。スタンプ本体が載置されるステージを有する発光ユニット１９はスライドレバー２１を上方に摺動させることによってスタンプ作成装置３から取り外しが可能である。また、スタンプ製版部１６には、スタンプ本体を出し入れする際に開閉される上蓋２２が設けられている。
そして、このスタンプ作成装置３は、インターフェースケーブルＳ１を介して接続されるコンピュータ装置２からの制御にしたがって、原稿フィルムに対するポジ原稿の印刷、カットシートへのＩＤラベルの印刷、ポジ原稿が印刷された原稿フィルムに基づくスタンプの製版といった各種動作を実行するように構成されている。
【００５４】
ここで、スタンプ本体の下面に配された印材の構造について説明する。ここで用いられる印材は、例えば本出願人による特開平１１−７８１９１号公報に開示されているような、カーボンブラックなどの光エネルギー吸収性物質を分散させた軟質多孔性樹脂（例えば、ウレタン系樹脂）からなる下側層と、インクを貯溜するとともに下側層に均一に圧力が印加されるようにする硬質多孔性樹脂（例えば、ポリビニルホルマール）からなる上側層とを具備した２層構造を有するものである。
この印材を圧縮した状態でポジ画像が印刷された透明な原稿フィルム（ポジ原稿）を介して選択的に光を照射すると、原稿の透明部分に対応して光が照射された下側層の部分は、光エネルギー吸収物質の発熱作用によって溶融後固化されるので、シールされてインクを透過しない状態となる。一方、原稿の印刷部分に対応した下側層の部分は、光が照射されないだけでなく原稿の印刷部分からの伝導熱で溶融固化されることもなく、原稿の文字等に対応してシールされないでそのまま残存することとなる。これにより、所望パターンのシール部（非印刷部）と非シール部（印刷部）とが印材の下面に混在した印判が形成される。
【００５５】
次に、スタンプ作成装置３の制御回路構成について図２に基づいて説明する。
図２に示すように、スタンプ作成装置３には、ＣＰＵ２５と、ＲＯＭ２６と、ＲＡＭ２７と、入出力インタフェース２８とが備えられており、これらはバス２９によって相互に接続されている。また、入出力インターフェイス２８には、インターフェースケーブルＳ１を介してコンピュータ装置２の通信用インターフェイス（Ｉ／Ｆ）４５が接続されている。これによって、スタンプ作成装置３は、本実施の形態に即して画像処理された印面データをコンピュータ装置２から取り込むことが可能である。さらに、入出力インターフェイス２８には、ヘッド駆動回路３１およびモータ駆動回路３２がそれぞれ接続されている。ヘッド駆動回路３１にはサーマルヘッド１５が接続されており、モータ駆動回路３２にはスタンプ作成装置３の各所に配置されてサーマルヘッド１５や各種ローラなどを駆動するモータ類３３がそれぞれ接続されている。
ＲＯＭ２６には、スタンプ作成装置３の全体の作動を制御する制御プログラムが記憶されている。ＲＡＭ２７には、コンピュータ装置２から与えられた画像データを記憶する画像バッファ３５が設けられている。
ＣＰＵ２５は、ＲＯＭ２６に記憶された制御プログラムおよびＲＡＭ２７の画像バッファ３５に記憶された画像データに基づいて、ヘッド駆動回路３１およびモータ駆動回路３２を制御する。これにより、原稿フィルム或いはＩＤラベル用のカットシートにはサーマルヘッド１５を介して所望の捺印画像が印刷され、原稿フィルムはその後印材の製版に供される。
【００５６】
次に、コンピュータ装置２の制御回路構成について図３乃至図５に基づいて説明する。
図３に示すように、コンピュータ装置２は、ＣＰＵ４１、ＲＯＭ４２、ＲＡＭ４３、入出力インターフェース（Ｉ／Ｆ）４４、通信用インターフェース（Ｉ／Ｆ）４５、フロッピー（登録商標）ディスクコントローラ（ＦＤＣ）４６、フロッピー（登録商標）ディスクドライブ（ＦＤＤ）４７、ハードディスクコントローラ（ＨＤＣ）４８、ハードディスクドライブ（ＨＤＤ）４９、表示装置コントローラ５０、液晶表示装置（ＬＣＤ）５、キーボード６、モデム５１等を備えている。また、ＣＰＵ４１、ＲＯＭ４２、ＲＡＭ４３、入出力インターフェース（Ｉ／Ｆ）４４、通信用インターフェース（Ｉ／Ｆ）４５、及びモデム５１は、バス線５２により相互に接続されて、相互にデータのやり取りが行われる。また、入出力Ｉ／Ｆ４４には、ＦＤＤ４７を駆動制御するＦＤＣ４６を介してＦＤＤ４７、ＨＤＤ４９を駆動制御するＨＤＣ４８を介してＨＤＤ４９、表示装置コントローラ５０、文字や記号等を入力するためのキーボード６、及び印字用データや後述の制御プログラム、画像変換パラメータ等をＣＤ−ＲＯＭ５６に書き込み及び読み込むためのＣＤリード・ライター（ＣＤ−Ｒ／Ｗ）９が接続されている。また、モデム５１には電話回線５３が接続されている。
【００５７】
また、コンピュータ装置２には、入出力Ｉ／Ｆ４４を介して表示装置５の表示画面上の座標を入力するためのマウス７、顔写真や図面から画像データ等を取り込むためのイメージスキャナ８が接続されている。また、コンピュータ装置２には、通信用Ｉ／Ｆ４５及びインターフェースケーブルＳ１を介してスタンプ作成装置３が接続される。
【００５８】
ＣＰＵ４１は、コンピュータ装置２全体を制御し、後述のようにハードディスク４９に記憶されたプログラムやパラメータデータに基づいて、製版用データ作成処理やラベル印字用データ作成処理等の制御動作に関する全てのデータを管理する。また、ＲＯＭ４２には、一般のパーソナルコンピュータと同様に電源投入時にコンピュータ装置２を立ち上げてＣＰＵ４１を起動させるための起動プログラムが格納されると共に、後述する画像データをスタンプ作成装置３に送信する送信処理の制御プログラムが記憶格納されている。
また、ＲＡＭ４３は、ＣＰＵ４１が種々の制御を実行する際に、各種データを一時的に記憶するものである。
【００５９】
ここで、図４に示すように、ＲＡＭ４３には、イメージスキャナ８や不図示のデジタルカメラ等から入力されたカラー顔写真等の元画像と、この元画像を階調数２５６の階調画像に変換した第１階調画像とを記憶する元画像データ記憶領域４３Ａが設けられている。また、ＲＡＭ４３には、この第１階調画像をから複数種類の画像変換パラメータに基づいて変換した複数種類の第２階調画像を記憶する変換画像データ記憶領域４３Ｂが設けられている。また、ＲＡＭ４３には、この変換画像データ記憶領域４３Ｂに格納される複数種類の第２階調画像をディスプレイ用補正データに基づいて補正した第３階調画像を後述のように３×３の行列上に配置して（図１５参照）記憶する表示画像バッファ４３Ｃが設けられている。また、ＲＡＭ４３には、この変換画像データ記憶領域４３Ｂに格納される複数種類の第２階調画像をスタンプ用補正データに基づいて補正した製版用の第４階調画像を記憶する製版用画像データ記憶領域４３Ｄが設けられている。また、ＲＡＭ４３には、この変換画像データ記憶領域４３Ｂに格納される複数種類の第２階調画像をラベル印字用補正データに基づいて補正したラベル印字用の第５階調画像を記憶する印字用画像データ記憶領域４３Ｅが設けられている。更に、ＲＡＭ４３には、スタンプ作成装置３に送信するための２値画像データを記憶する２値画像記憶領域４３Ｆ等が設けられている。
【００６０】
また、通信用Ｉ／Ｆ４５は、例えば、ＵＳＢ（Universal Serial Bus）等から構成され、スタンプ作成装置３や外部の電子機器（例えば、コンピュータ、レーザプリンタ、デジタルカメラ等）と双方向データ通信が可能になっている。
また、ＨＤＤ４９に装着されるハードディスクには、ＭＳ−ＤＯＳ（登録商標）やウィンドウズ（登録商標）システム等の各種オペレーティングシステム（ＯＳ）に加えて、スタンプ作成装置３や外部の電子機器に対してデータの送受信を行うための通信用プロトコル、当該ＯＳにて実行可能なワープロソフトや印刷用データ作成ソフト等の各種アプリケーションプログラムが必要に応じて格納されている。
【００６１】
例えば、図５に示すように、ＨＤＤ４９には、後述のように元画像から製版用画像データ等の２値画像を作成してスタンプ作成装置３に送信する処理を実行するためのメインプログラムを記憶するメインプログラム記憶領域４９Ａが設けられている。また、ＨＤＤ４９には、元画像から複数の第２階調画像を作成する画像変換処理を実行するためのサブプログラムを記憶する画像変換処理プログラム記憶領域４９Ｂが設けられている。また、ＨＤＤ４９には、複数種類の第２階調画像を液晶表示装置５に表示する処理を実行するためのサブプログラムを記憶する画像表示処理プログラム記憶領域４９Ｃが設けられている。また、ＨＤＤ４９には、液晶表示装置５及びマウス７を介して指定された表示画像に対応する所定第２階調画像から製版用画像データを作成する処理を実行するためのサブプログラムを記憶する製版用データ作成処理プログラム記憶領域４９Ｄが設けられている。また、ＨＤＤ４９には、液晶表示装置５及びマウス７を介して指定された表示画像に対応する所定第２階調画像からラベル印字用画像データを作成する処理を実行するためのサブプログラムを記憶するラベル印字用データ作成処理プログラム記憶領域４９Ｅが設けられている。また、ＨＤＤ４９には、ＲＡＭ４３の元画像データ記憶領域４３Ａに記憶される後述の第１階調画像から複数種類の第２階調画像を作成するための複数種類の画像変換パラメータを記憶する画像変換パラメータ記憶領域４９Ｆが設けられている。また、ＨＤＤ４９には、所定第２階調画像を補正して液晶表示装置５に表示するためのディスプレイ用補正テーブル６２（図７参照）を記憶するディスプレイ用補正データ記憶領域４９Ｇが設けられている。また、ＨＤＤ４９には、所定第２階調画像を補正して製版用画像データを作成するためのスタンプ用補正テーブル６３（図８参照）を記憶するスタンプ用補正データ記憶領域４９Ｈが設けられている。更に、ＨＤＤ４９には、所定第２階調画像を補正してラベル印字用画像データを作成するためのラベル印字用補正テーブル６４（図９参照）を記憶するラベル印字用補正データ記憶領域４９Ｉ等が設けられている。
【００６２】
また、図３に示すように、ＦＤＤ４７に着脱自在に装着されるフロッピー（登録商標）ディスク（ＦＤ）５５やＣＤ−Ｒ／Ｗ９に着脱自在に装着される光ディスク（ＣＤ−ＲＯＭ）５６には、、後述する製版用画像データやラベル印字用画像データ等の各種データや、これら各画像データを作成するためにＨＤＤ４９に記憶される各種プログラムや画像変換パラメータ等が格納保存されて、他のスタンプ製版システムに供給される。
また、このＲＡＭ４３の２値画像記憶領域４３に格納保存された後述する製版用画像データやラベル印字用画像データ等の各種データや、これら各画像データを作成するためにＨＤＤ４９に記憶される各種プログラムや画像変換パラメータ等は、モデム５１を介して、他のスタンプ製版システムに供給される。
【００６３】
ここで、ＨＤＤ４９の画像変換パラメータ記憶領域４９Ｆに記憶される画像変換パラメータが格納される画像変換テーブル６１の一例について図６に基づいて説明する。
図６に示すように、画像変換テーブル６１は、画像変換パラメータのパラメータ１〜パラメータ９までの９種類を表す「パラメータＮｏ」と、該各パラメータ１〜９に対応する上下カットする濃度閾値を表す「上下カット閾値」と、該各パラメータ１〜９に対応する画像ヒストグラムの平行移動量を表す「明るさ補正値」と、該各パラメータ１〜９に対応する画像ヒストグラムの平均の目標値を表す目標グレースケール値としての「目標値」とから構成されている。この「上下カット閾値」は、画像のコントラストを表現するパラメータである。また、この「明るさ補正値」は、画像全体の明るさを明るい方向にシフトするパラメータである。また、この「目標値」は、元画像の変換後の明るさを小さく変化させるパラメータである。
ここで、「上下カット閾値」には、各パラメータ１〜３に対して「１％」、各パラメータ４〜６に対して「５％」、各パラメータ７〜９に対して「１０％」が格納されている。また、「明るさ補正値」には、各パラメータ１〜３に対して「８０」、各パラメータ４〜６に対して「６０」、各パラメータ７〜９に対して「４０」が格納されている。更に、「目標値」には、各パラメータ１、４、７に対してグレースケール値「１５９」、各パラメータ２、５、８に対してグレースケール値「１９１」、各パラメータ３、６、９に対してグレースケール値「２２３」が格納されている。
【００６４】
また、ＨＤＤ４９のディスプレイ用補正データ記憶領域４９Ｇに記憶されるディスプレイ用補正テーブル６２、スタンプ用補正データ記憶領域４９Ｈに記憶されるスタンプ用補正テーブル６３、及びラベル印字用補正データ記憶領域４９Ｉに記憶されるラベル印字用補正テーブル６４について図７乃至図９に基づいて説明する。
図７に示すように、液晶表示装置５に表示するための階調補正用のディスプレイ用補正テーブル６２は、スタンプ用製版とは異なりグレースケール値と印刷濃度との線形性が劣化する要因がないため、特性直線６２Ａに示すように入力値と出力値とが等しくなるように補正している。
また、図９に示すように、ＩＤラベルに印字するための階調補正用のラベル印字用補正テーブル６４は、本出願人が特開２００１−１７７７２３号公報に開示しているように、スタンプ用製版とは異なりグレースケール値と印刷濃度との線形性が劣化する要因がほとんどないため、特性曲線６４Ａに示すように、入力値と出力値とがほぼ等しくなるように補正している。
【００６５】
一方、図８に示すように、スタンプ用製版のための階調補正用のスタンプ用補正テーブル６３は、本出願人が特開２００１−１７７７２３号公報に開示しているように、元画像のグレースケール値と印刷濃度との線形性が劣化していることに対応して、特性直線６３Ａに示すように入力グレースケール値が大きい領域では出力グレースケール値をそれよりも小さくし、入力グレースケール値が小さい領域では出力グレースケール値をそれよりも大きくするように直線的に補正している。
【００６６】
ここで、スタンプ用補正テーブル６３は、以下の手順により作成している。まず、「０」（黒）から「２５５」（白）までそれぞれのグレースケール値を有する２５６個のサンプルデータを作成し、これらを階調補正することなくディザ法で２値化して得られたスタンプによる反射濃度を元のグレースケール値とそれぞれ対応させる。そして、このグレースケール値の最小値「０」を入力値「０」、最大値「２５５」を入力値「２５５」とすると共に、この反射濃度の最小値を出力値「０」、反射濃度の最大値を出力値「２５５」として、入力値と出力値との関係を示す特性曲線を求める。その後、この特性曲線の逆関数を求め、該スタンプ用補正テーブル６３の特性直線６３Ａを得る。
また、同様にして、各補正テーブル６２、６３の特性直線６２Ａ及び特性曲線６４Ａを得る。
【００６７】
次に、このように構成されたスタンプ製版システム１のスタンプ及びＩＤラベルを作成する際のコンピュータ装置２における製版用画像データ及びラベル印字用画像データの作成処理等の制御処理について図１０乃至図１８に基づいて説明する。
図１０に示すように、先ず、ステップ（以下、Ｓという）１において、ＣＰＵ４１は、後述の画像変換処理のサブ処理を実行し、元画像から（１）画像の明るさ分布、（２）画像のコントラスト、（３）画像全体の明るさの各パラメータを変更した９種類の第２階調画像を作成する（図１１参照）。
そして、Ｓ２において、ＣＰＵ４１は、後述の画像表示処理のサブ処理を実行し、Ｓ１において取得した９種類の第２階調画像を階調補正して９種類の第３階調画像を作成し、該各第３階調画像を３×３の行列上に配置して液晶表示装置５に表示する（図１６参照）。
【００６８】
（選択工程）
続いて、Ｓ３において、ＣＰＵ４１は、ユーザが液晶表示装置５に表示されている９種類の第３階調画像のうちのいずれかをマウス７またはキーボード６を介して選択したか否かを判定する判定処理を実行する。そして、液晶表示装置５に表示された９種類の第３階調画像のうちのいずれも選択されていない場合は（Ｓ３：ＮＯ）、ユーザが液晶表示装置５に表示された９種類の第３階調画像のうちのいずれかを選択するのを待つ。
また、ユーザが液晶表示装置５に表示された９種類の第３階調画像のうちのいずれかを選択した場合は（Ｓ３：ＹＥＳ）、Ｓ４において、ＣＰＵ４１は、この選択された第３階調画像に対応するスタンプ用製版画像データを作成する旨の指示がされたか否かを判定する判定処理を実行する。
【００６９】
尚、液晶表示装置５に表示される９種類の第３階調画像のうちのいずれかが、マウスでクリックされることによって選択された場合には、この選択された第３階調画像が四角の枠で囲まれて、選択された旨が表示される（図１６参照）。また、液晶表示装置５には、不図示の印刷確認画面に、不図示のスタンプ製版選択ボタン、ＩＤラベル印字選択ボタン、ＯＫボタン及びキャンセルボタン等が表示される。このスタンプ製版ボタンをマウスでクリックすることによって、ＣＰＵ４１に対して選択した第３階調画像に対応するスタンプ用製版画像データを作成する旨が指示される。また、ＩＤラベル印字選択ボタンをマウスでクリックすることによって、ＣＰＵ４１に対して選択した第３階調画像に対応するＩＤラベル印字用画像データを作成する旨が指示される。また、ＯＫボタンをマウスでクリックすることによって、ＣＰＵ４１に対して作成したスタンプ用製版画像データまたはＩＤラベル印字用画像データをスタンプ作成装置３に送信する旨が指示される。また、キャンセルボタンをマウスでクリックすることによって、ＣＰＵ４１に対してＳ３以降の処理を再度実行する旨が指示される。
【００７０】
そして、この選択された第３階調画像に対応するスタンプ用製版画像データを作成する旨の指示がされた場合、即ち、液晶表示装置５に表示されたスタンプ製版選択ボタンがマウスでクリックされた場合には（Ｓ４：ＹＥＳ）、Ｓ５において、ＣＰＵ４１は、この選択された第３階調画像のスタンプ用製版画像データを作成する後述の製版用データ作成処理のサブ処理を実行する（図１７参照）。
【００７１】
一方、この選択された第３階調画像に対応するスタンプ用製版画像データを作成する旨の指示がされなかった場合、即ち、液晶表示装置５に表示されたスタンプ製版選択ボタンがマウスでクリックされなかった場合には（Ｓ４：ＮＯ）、Ｓ６において、ＣＰＵ４１は、この選択された第３階調画像に対応するＩＤラベル印字用画像データを作成する旨の指示がされたか否か、即ち、液晶表示装置５に表示されたＩＤラベル印字選択ボタンがマウスでクリックされたか否かを判定する判定処理を実行する。
そして、ＩＤラベル印字選択ボタンがマウスでクリックされた場合には（Ｓ６：ＹＥＳ）、Ｓ７において、ＣＰＵ４１は、この選択された第３階調画像に対応するＩＤラベル印字用画像データを作成する後述のラベル印字用データ作成処理のサブ処理を実行する（図１８参照）。
【００７２】
他方、ＩＤラベル印字選択ボタンがマウスでクリックされなかった場合には（Ｓ６：ＮＯ）、Ｓ８において、ＣＰＵ４１は、２値画像記憶領域４３Ｆに記憶される２値画像の画像データをスタンプ作成装置３に送信する旨の指示がされたか否か、即ち、液晶表示装置５に表示されたＯＫボタンがマウスでクリックされたか否かを判定する判定処理を実行する。
そして、２値画像記憶領域４３Ｆに記憶される２値画像の画像データをスタンプ作成装置３に送信する旨の指示がされなかった場合、即ち、液晶表示装置５に表示されたＯＫボタンがマウスでクリックされなかった場合には（Ｓ８：ＮＯ）、ＣＰＵ４１は、再度Ｓ４以降の処理を実行する。
【００７３】
また、２値画像の画像データをスタンプ作成装置３に送信する旨の指示がされた場合、即ち、液晶表示装置５に表示されたＯＫボタンがマウスでクリックされた場合には（Ｓ８：ＹＥＳ）、Ｓ９において、ＣＰＵ４１は、２値画像記憶領域４３Ｆに記憶される２値画像がスタンプ製版用画像データである場合には、スタンプ作成装置３に対して、透明な原稿フィルムに該２値画像の画像データを製版する旨の指示指令と、当該２値画像の画像データとを送信して本処理を終了する。また、ＣＰＵ４１は、２値画像記憶領域４３Ｆに記憶される２値画像がラベル印字用画像データである場合には、スタンプ作成装置３に対して、ＩＤラベルに該２値画像の画像データを印字する旨の指示指令と、当該２値画像の画像データとを送信して本処理を終了する。
【００７４】
次に、画像変換処理（Ｓ１）のサブ処理について図１１乃至図１３に基づいて説明する。
（第１変換工程）
図１１に示すように、Ｓ１１において、ＣＰＵ４１は、元画像データ記憶領域４３Ａに記憶する顔写真等の元画像を読み出し、所定の大きさ（例えば、２５ｍｍ×３５ｍｍの大きさ）に縮小後、階調数２５６の第１階調画像７１（図１２（Ａ）参照）に変換して（元画像がカラー画像の場合には、グレースケールに変換する。）再度、元画像データ記憶領域４３Ａに記憶する元画像縮小処理を実行する。
また、同時に、図１２（Ａ）に示すように、ＣＰＵ４１は、この第１階調画像７１の中心部分の指定領域７１Ａ、即ち、横方向及び縦方向の中心側各５０％を占める中心部分の指定領域７１Ａの画像データを再度、元画像データ記憶領域４３Ａから読み出す。これにより、顔写真の顔の部分等の画像データが効率的に読み出される。そして、ＣＰＵ４１は、この指定領域７１Ａの画像データの「０」（黒）から「２５５」（白）までそれぞれのグレースケール値（濃度閾値）に対応するピクセル数をカウントして、図１２（Ｂ）に示すように、濃度閾値「１」〜「２５４」に対応する各ピクセル数の分布、即ちヒストグラム分布を示すピクセル分布曲線７２を取得し、該ピクセル分布曲線７２を元画像データ記憶領域４３Ａに記憶する。また、ＣＰＵ４１は、このピクセル分布曲線７２の各濃度閾値と該各濃度閾値に対応するピクセル数とを乗算した総和を２５４で除した平均濃度閾値（ＳＴＤ）を算出し、元画像データ記憶領域４３Ａに記憶する。
（パラメータ取得工程）
そして、Ｓ１２において、ＣＰＵ４１は、ＨＤＤ４９の画像変換パラメータ記憶領域４９Ｆから画像変換テーブル６１を読み出し、ＲＡＭ４３に記憶する。
【００７５】
（第１格納工程）
また、Ｓ１３において、ＣＰＵ４１は、ＲＡＭ４３から代数Ｎを読み出し、該代数Ｎに「１」を代入して再度ＲＡＭ４３に記憶する。
続いて、Ｓ１４において、ＲＡＭ４３から代数Ｎを読み出し、該Ｎの値をＲＡＭ４３に記憶した画像変換テーブル６１の「パラメータＮｏ」として、該「パラメータＮｏ」に対応する「上下カット閾値」、「明るさ補正値」、及び「目標値」の各パラメータ値を読み出す。そして、この「上下カット閾値」、「明るさ補正値」、及び「目標値」の各パラメータ値に基づいて第１階調画像７１をＮ番目の第２階調画像に変換する。
例えば、代数Ｎが「１」の場合には、画像変換テーブル６１から「パラメータ１」に対応する「上下カット閾値」として「１％」、「明るさ補正値」として「８０」、「目標値」として「１５９」が読み出され、これらのパラメータ値に基づいて第１階調画像７１から１番目の第２階調画像が作成される。
【００７６】
ここで、第１階調画像７１からＮ番目の第２階調画像を作成する手順を図１３に基づいて説明する。
図１３（Ａ）に示すように、先ず、元画像データ記憶領域４３Ａに記憶されるピクセル分布曲線７２を読み出し、濃度閾値「１」〜「２５４」の総ピクセル数をカウントする。そして、画像変換テーブル６１から読み出したＮ番目の「パラメータＮｏ」に対応する「上下カット閾値」を読み出して、該総ピクセル数に乗算してカットするカットピクセル数を算出する。続いて、濃度閾値「１」から順次累積ピクセル数をカウントしてカットピクセル数を越えた濃度閾値を「下限カット閾値」とする。また、同時に、濃度閾値「２５４」から同様に順次累積ピクセル数をカウントしてカットピクセル数を越えた濃度閾値を「上限カット閾値」とする。
【００７７】
続いて、図１３（Ｂ）に示すように、この上下カット閾値でカットしたピクセル分布曲線７２の元画像データ記憶領域４３Ａに記憶される平均濃度閾値（ＳＴＤ）を、画像変換テーブル６１から読み出したＮ番目の「パラメータＮｏ」に対応する「目標値（Ａｉｍ）」に一致させる。また、同時に、この「下限カット閾値」を濃度閾値の「０」に一致させ、「上限カット値」を濃度閾値の「２５５」に一致させて、その間の各濃度閾値に対応するピクセル数は、比例配分にて決定して第１変換ピクセル分布曲線７３を決定する。これにより、下限カットされたピクセル数は、濃度閾値「０」のピクセル数に織り込まれ、上限カットされたピクセル数は、濃度閾値「２５５」のピクセル数に織り込まれる。
【００７８】
そして、図１３（Ｃ）に示すように、画像変換テーブル６１から読み出したＮ番目の「パラメータＮｏ」に対応する「明るさ補正値」だけ該第１変換ピクセル分布曲線７３を平行移動して第２変換ピクセル分布曲線７４を決定する。これにより、濃度閾値「２５５」を越えるピクセル数は、濃度閾値「２５５」のピクセル数に織り込まれる。その後、この変換後のヒストグラムを示す第２変換ピクセル分布曲線７４に基づいて第１階調画像７１を変換して、Ｎ番目の第２階調画像を得る。
【００７９】
その後、Ｓ１５において、ＣＰＵ４１は、このＮ番目の第２階調画像を変換画像データ記憶領域４３Ｂに記憶する。そして、Ｓ１６において、ＣＰＵ４１は、ＲＡＭ４３から代数Ｎを読み出し、この代数Ｎに「１」加算して再度ＲＡＭ４３に記憶する。
そしてまた、Ｓ１７において、ＣＰＵ４１は、ＲＡＭ４３から代数Ｎを読み出し、該代数Ｎが９より大きいか否かを判定する判定処理を実行する。即ち、画像変換テーブル６１の９種類の各画像変換パラメータに基づいて９番目の第２階調画像を作成して、変換画像データ記憶領域４３Ｂに記憶したか否かを判定する判定処理を実行する。
そして、該代数Ｎが９以下の場合は（Ｓ１７：ＮＯ）、再度Ｓ１４以降の処理を実行する。一方、該代数Ｎがの９より大きい場合には（Ｓ１７：ＹＥＳ）、本サブ処理を終了してメインフローチャートに戻る。
【００８０】
（表示工程）
次に、画像表示処理（Ｓ２）のサブ処理について図１４乃至図１６に基づいて説明する。
図１４に示すように、Ｓ２１において、ＣＰＵ４１は、液晶表示装置５の表示画面に３×３の行列上に各第２階調画像を表示するように、ＲＡＭ４３の表示画像バッファ４３Ｃに３×３の行列上の描画領域８１（図１５参照）を設定する。
ここで、図１５に示すように、この表示画像バッファ４３Ｃの３×３の行列上の描画領域８１の構成は、３×３の行列上の各記憶領域８１Ａ〜８１Ｉに分割されている。そして、各記憶領域８１Ａ〜８１Ｃ、各記憶領域８１Ｄ〜８１Ｆ、各記憶領域８１Ｇ〜８１Ｉが各々行方向右方に順次配置されると共に、この各組み合わせが列方向下方に順次配列されている。
【００８１】
そして、Ｓ２２において、ＣＰＵ４１は、ＲＡＭ４３から代数Ｎを読み出し、該代数Ｎに「１」を代入して、再度ＲＡＭ４３に記憶する。
続いて、Ｓ２３において、ＣＰＵ４１は、再度ＲＡＭ４３から代数Ｎを読み出し、変換画像データ記憶領域４３Ｂに記憶されるＮ番目の第２階調画像を読み出す。
また、Ｓ２４において、ＣＰＵ４１は、ディスプレイ用補正データ記憶領域４９Ｇからディスプレイ用補正テーブル６２を読み出し、特性直線６２Ａに基づいて、この読み出したＮ番目の第２階調画像に対して階調補正であるディスプレイキャリブレーションを実施してＮ番目の第３階調画像を作成する。即ち、１番目の第２階調画像に対してディスプレイキャリブレーションを実施して１番目の第３階調画像が作成される。
続いて、Ｓ２５において、このＮ番目の第３階調画像を描画領域８１のＮ番目の領域に格納する。即ち、１番目の第３階調画像が描画領域８１の領域８１Ａに格納される。
【００８２】
そして、Ｓ２６において、ＣＰＵ４１は、ＲＡＭ４３から代数Ｎを読み出し、この代数Ｎに「１」加算して再度ＲＡＭ４３に記憶する。そしてまた、Ｓ２７において、ＣＰＵ４１は、ＲＡＭ４３から代数Ｎを読み出し、該代数Ｎが９より大きいか否かを判定する判定処理を実行する。即ち、９種類の第２階調画像に全てディスプレイキャリブレーションを実施して９種類の第３階調画像を作成して、描画領域８１に記憶したか否かを判定する判定処理を実行する。
そして、該代数Ｎが９以下の場合は（Ｓ２７：ＮＯ）、再度Ｓ２３以降の処理を実行する。
【００８３】
これにより、変換画像データ記憶領域４３Ｂに格納される１番目の第２階調画像に対してディスプレイキャリブレーションを実施して１番目の第３階調画像が作成されて、描画領域８１の領域８１Ａに格納される。また、２番目の第２階調画像に対してディスプレイキャリブレーションを実施して２番目の第３階調画像が作成されて、描画領域８１の領域８１Ｂに格納される。また、３番目の第２階調画像に対してディスプレイキャリブレーションを実施して３番目の第３階調画像が作成されて、描画領域８１の領域８１Ｃに格納される。また、４番目の第２階調画像に対してディスプレイキャリブレーションを実施して４番目の第３階調画像が作成されて、描画領域８１の領域８１Ｄに格納される。また、５番目以降の第２階調画像に対しても同様にディスプレイキャリブレーションが実施されて、順次５番目以降の第３階調画像が作成されて描画領域８１の各領域８１Ｅ〜８１Ｉに順次格納される。
【００８４】
従って、図１５に示すように、描画領域８１の各領域８１Ａ〜８１Ｃには、「上下カット閾値」が「１％」、「明るさ補正値」が「８０」で目標グレースケール値としての各「目標値」が「１５９」、「１９１」、「２２３」の画像変換パラメータによって作成された各第２階調画像に対応する各第３階調画像が格納される。また、各領域８１Ｄ〜８１Ｆには、「上下カット閾値」が「５％」、「明るさ補正値」が「６０」で目標グレースケール値としての各「目標値」が「１５９」、「１９１」、「２２３」の画像変換パラメータによって作成された各第２階調画像に対応する各第３階調画像が格納されている。また、各領域８１Ｇ〜８１Ｉには、「上下カット閾値」が「１０％」、「明るさ補正値」が「４０」で目標グレースケール値としての各「目標値」が「１５９」、「１９１」、「２２３」の画像変換パラメータによって作成された各第２階調画像に対応する各第３階調画像が格納されている。
【００８５】
一方、該代数Ｎがの９より大きい場合には（Ｓ２７：ＹＥＳ）、Ｓ２８において、ＣＰＵ４１は、液晶表示装置５の表示画面の横方向に対して該描画領域８１の３×３の行列上の各領域８１Ａ〜８１Ｉの行方向が平行になるように、該描画領域８１に格納されている各第３階調画像を表示して、本サブ処理を終了してメインフローチャートに戻る。
従って、図１５及び図１６に示すように、液晶表示装置５の表示画面には、上方向にコントラストが小で画像全体が明るい画像が表示され、下方向にコントラストが大で画面全体が暗い画像が表示される。また、液晶表示装置５の表示画面の左右方向に明るさの変化が少ない画像が表示される。
【００８６】
次に、製版用データ作成処理のサブ処理について図１７に基づいて説明する。
（第２変換工程）
図１７に示すように、Ｓ３１において、ＣＰＵ４１は、上記Ｓ３の処理で選択されたＮ番目の第３階調画像に対応するＮ番目の第２階調画像の画像データを変換画像データ記憶領域４３Ｂから読み込む。例えば、描画領域８１の領域８１Ａに対応する液晶表示装置５の上段左の表示画像（上下カット閾値：１％、明るさ補正値：８０、目標値：１５９）がマウスでクリックされて選択された場合は、ＣＰＵ４１は、１番目の第３階調画像が選択されたとして、１番目の第２階調画像の画像データを読み込む。また、描画領域８１の領域８１Ｃに対応する液晶表示装置５の上段右の表示画像（上下カット閾値：１％、明るさ補正値：８０、目標値：２２３）がマウスでクリックされて選択された場合は、ＣＰＵ４１は、３番目の第３階調画像が選択されたとして、３番目の第２階調画像の画像データを読み込む。また、描画領域８１の領域８１Ｇに対応する液晶表示装置５の下段左の表示画像（上下カット閾値：１０％、明るさ補正値：４０、目標値：１５９）がマウスでクリックされて選択された場合は、ＣＰＵ４１は、７番目の第３階調画像が選択されたとして、７番目の第２階調画像の画像データを読み込む。
【００８７】
そして、Ｓ３２において、ＣＰＵ４１は、スタンプ用補正データ記憶領域４９Ｈからスタンプ用補正テーブル６３を読み出し、特性直線６３Ａに基づいて、この読み込んだＮ番目の第２階調画像に対して階調補正であるスタンプ用キャリブレーションを実施して第４階調画像を作成して、製版用画像データ記憶領域４３Ｄに格納する。
（製版用画像データ作成工程）
続いて、Ｓ３３において、ＣＰＵ４１は、製版用画像データ記憶領域４３Ｄから第４階調画像を読み込んで、２値化処理を行いスタンプ用製版を作成するための製版用画像データを作成する。そして、Ｓ３４において、ＣＰＵ４１は、この製版用画像データを２値画像記憶領域４３Ｆに格納して本サブ処理を終了してメインフローチャートに戻る。
【００８８】
次に、ラベル印字用データ作成処理のサブ処理について図１８に基づいて説明する。
（第３変換工程）
図１８に示すように、Ｓ４１において、ＣＰＵ４１は、上記Ｓ３の処理で選択されたＮ番目の第３階調画像に対応するＮ番目の第２階調画像の画像データを変換画像データ記憶領域４３Ｂから読み込む。例えば、描画領域８１の領域８１Ｄに対応する液晶表示装置５の中段左の表示画像（上下カット閾値：５％、明るさ補正値：６０、目標値：１５９）がマウスでクリックされて選択された場合は、ＣＰＵ４１は、４番目の第３階調画像が選択されたとして、４番目の第２階調画像の画像データを読み込む。また、描画領域８１の領域８１Ｆに対応する液晶表示装置５の中段右の表示画像（上下カット閾値：５％、明るさ補正値：６０、目標値：２２３）がマウスでクリックされて選択された場合は、ＣＰＵ４１は、６番目の第３階調画像が選択されたとして、６番目の第２階調画像の画像データを読み込む。また、描画領域８１の領域８１Ｉに対応する液晶表示装置５の下段右の表示画像（上下カット閾値：１０％、明るさ補正値：４０、目標値：２２３）がマウスでクリックされて選択された場合は、ＣＰＵ４１は、９番目の第３階調画像が選択されたとして、９番目の第２階調画像の画像データを読み込む。
【００８９】
そして、Ｓ４２において、ＣＰＵ４１は、ラベル印字用補正データ記憶領域４９Ｉからラベル印字用補正テーブル６４を読み出し、特性曲線６４Ａに基づいて、この読み込んだＮ番目の第２階調画像に対して階調補正であるラベル用キャリブレーションを実施して第５階調画像を作成して、印字用画像データ記憶領域４３Ｅに格納する。
（ラベル印字用画像データ作成工程）
続いて、Ｓ４３において、ＣＰＵ４１は、印字用画像データ記憶領域４３Ｅから第５階調画像を読み込んで、２値化処理を行いＩＤラベルを作成するためのラベル印字用画像データを作成する。そして、Ｓ４４において、ＣＰＵ４１は、このラベル印字用画像データを２値画像記憶領域４３Ｆに格納して本サブ処理を終了してメインフローチャートに戻る。
【００９０】
次に、本実施形態のスタンプ製版システム１のコンピュータ装置２の液晶表示装置５を介して選択した表示画像、及びこの表示画像に対応してスタンプ作成装置３で作成されたスタンプの捺印結果、及びＩＤラベルの印字結果の一例を図１９乃至図２１に示す。
図１９には、液晶表示装置５の下段左（上下カット閾値：１０％、明るさ補正値：４０、目標値：１５９）の表示画像の一例を示す。また、図２０には、この表示画像をマウスでクリックして選択した場合に、スタンプ作成装置３によって作成されたスタンプの捺印結果の一例を示す。また、図２１には、この表示画像をマウスでクリックして選択した場合に、スタンプ作成装置３によって作成されたＩＤラベルへの印字結果の一例を示す。これらの図面を比較すれば明らかなように、本実施形態のスタンプ製版システム１のスタンプ作成装置３で作成されるスタンプの捺印結果及びＩＤラベルの印字結果は、コンピュータ装置２の液晶表示装置５を介して選択した表示画像とほぼ一致している。
【００９１】
ここで、液晶表示装置５は、表示手段として機能する。また、Ｓ３の処理は、選択工程に相当する。また、Ｓ１１の処理は、第１変換工程に相当する。また、Ｓ１２の処理は、パラメータ取得工程に相当する。また、Ｓ１３〜Ｓ１７の処理は、第１格納工程に相当する。また、Ｓ２１〜Ｓ２８の処理は、表示工程に相当する。また、Ｓ３１〜Ｓ３２の処理は、第２変換工程に相当する。また、Ｓ３３〜Ｓ３４の処理は、製版用画像データ作成工程に相当する。また、Ｓ４１〜Ｓ４２の処理は、第３変換工程に相当する。また、Ｓ４３〜Ｓ４４の処理は、ラベル印字用画像データ作成工程に相当する。
【００９２】
従って、本実施形態に係るスタンプ製版システム１では、Ｓ１１の処理で元画像を階調数２５６の第１階調画像７１に変換後、Ｓ１２〜Ｓ１７及びＳ２１〜Ｓ２８の処理によって、各画像変換パラメータに基づいて第１階調画像７１から９種類の第２階調画像が作成されると共に、この各第２階調画像にディスプレイキャリブレーションをかけて各第３階調画像に変換して、該第３階調画像が液晶表示装置５を介して３×３の行列上に配置されて表示されるため、ユーザは元画像から作成される各第２階調画像を液晶表示装置５を介して容易且つ正確に確認することができると共に、ユーザは容易に各第３階調画像を比較でき、希望する捺印画像及びＩＤラベルへの印字画像を簡単に選択することができる。
また、Ｓ３の処理において、液晶表示装置５に表示された９種類の第３階調画像から一の第３階調画像を選択できるため、ユーザは希望する捺印画像及びＩＤラベルへの印字画像を簡易な操作によって製版前及びＩＤラベル印字前に選択・決定でき、捺印画像決定処理及びＩＤラベルの印字画像決定処理の簡易化及び短時間化を図ることができる。
【００９３】
また、Ｓ３１〜Ｓ３４の処理によって、この選択された第３階調画像に対応する第２階調画像にスタンプ用キャリブレーションをかけて第４階調画像に変換後、この第４階調画像に対して２値化処理を行って製版用画像データが自動的に作成されるため、ユーザは希望する捺印画像を液晶表示装置５を介して選択するだけで、該捺印画像の写真スタンプを作成することができ、誰でも簡単に捺印画像の写真スタンプを短時間で作成することができる。また、Ｓ４１〜Ｓ４４の処理によって、この選択された第３階調画像に対応する第２階調画像にラベル用キャリブレーションをかけて第５階調画像に変換後、この第５階調画像に対して２値化処理を行ってラベル印字用画像データが自動的に作成されるため、ユーザは希望するラベル印字画像を液晶表示装置５を介して選択するだけで、該ラベル印字画像の写真入りＩＤラベルを作成することができ、誰でも簡単に写真入りＩＤラベルを短時間で作成することができる。
【００９４】
また、液晶表示装置５の表示画面の横方向と平行な行方向に明るさの変化が少ない第３階調画像（上下カット閾値と明るさ補正値が同一で、目標値が１５９、１９１、２２３の第３階調画像である。）が配置されて表示されるため、液晶表示装置５等の画面表示特性による視差角の影響が無くなり、ユーザは各第３階調画像の明るさの微妙な差を正確に認識することができ、希望する捺印画像をより正確に選択・決定できる。
また、画像変換パラメータとして画像ヒストグラムの平均のグレースケール値を表す目標値（Ａｉｍ）を採用することにより、明るさの変化が少ない捺印画像や表示画像に対応する第２階調画像を容易に作成することができる。また、画像変換パラメータとしてグレースケール値の上下カット閾値を採用することにより、コントラストを大きく変化させた捺印画像や表示画像に対応する第２階調画像を容易に作成することができる。また、画像変換パラメータとして画像ヒストグラムの平行移動量を表す明るさ補正値を採用することにより、画像全体の明るさを大きく変化させた捺印画像や表示画像に対応する第２階調画像を容易に作成することができる。
【００９５】
更に、目標値（Ａｉｍ）が異なる各画像変換パラメータに基づいて作成された各第２階調画像に対応する各第３階調画像が液晶表示装置５の表示画面横方向に配置されるため、表示画面の横方向に捺印画像の明るさの変化が小さい第３階調画像を容易に表示することができる。また、目標値、上下カット閾値及び明るさ補正値の３種類の画像変換パラメータのうち、目標値の異なる第３階調画像を表示画面横方向に配置し、上下カット閾値及び明るさ補正値の異なる第３階調画像を表示画面縦方向に配置して表示するため、該３種類の画像変換パラメータから構成される各第３階調画像を３×３の行列上に配置して表示することができ、ユーザは捺印画像やラベル印字画像を更に容易に選択・決定することができる。また、上下カット閾値及び明るさ補正値の異なる第３階調画像を表示画面縦方向に配置して表示するため、コントラスト及び画像全体の明るさを大きく変化させた捺印画像を表示画面縦方向に配置することができ（明るい捺印画像を表示画面上方に配置し、暗い捺印画像を画面下方に配置する。）、ユーザは希望する捺印画像を更に正確且つ直感的に選択・決定することができる。
【００９６】
尚、本発明は前記実施形態に限定されることはなく、本発明の要旨を逸脱しない範囲内で種々の改良、変形が可能であることは勿論である。
【図面の簡単な説明】
【００９７】
【図１】本実施形態に係るスタンプ製版システムの概略構成を示す斜視図である。
【図２】本実施形態に係るスタンプ製版システムのスタンプ作成装置の制御構成を示すブロック図である。
【図３】本実施形態に係るスタンプ製版システムのコンピュータ装置の制御構成を示すブロック図である。
【図４】本実施形態に係るスタンプ製版システムのコンピュータ装置のＲＡＭの構成を示すブロック図である。
【図５】本実施形態に係るスタンプ製版システムのコンピュータ装置のＨＤＤの構成を示すブロック図である。
【図６】本実施形態に係るスタンプ製版システムのコンピュータ装置の画像変換パラメータ記憶領域に格納される画像変換テーブルの一例を示す図である。
【図７】本実施形態に係るスタンプ製版システムのコンピュータ装置のディスプレイ用補正データ記憶領域に記憶されるディスプレイ用補正テーブルの一例を示す図である。
【図８】本実施形態に係るスタンプ製版システムのコンピュータ装置のスタンプ用補正データ記憶領域に記憶されるスタンプ用補正テーブルの一例を示す図である。
【図９】本実施形態に係るスタンプ製版システムのコンピュータ装置のラベル印字用補正データ記憶領域に記憶されるラベル印字用補正テーブルの一例を示す図である。
【図１０】本実施形態に係るスタンプ製版システムのスタンプ及びＩＤラベルを作成する際のコンピュータ装置における製版用画像データ及びラベル印字用画像データの作成処理等の制御処理を示すメインフローチャートである。
【図１１】本実施形態に係るスタンプ製版システムのコンピュータ装置において、元画像から複数種類の第２階調画像を作成する時に実行される画像変換処理を示すサブフローチャートである。
【図１２】本実施形態に係るスタンプ製版システムのコンピュータ装置において、画像変換処理のサブ処理の際に実行する元画像縮小処理を模式的に説明する図で、（Ａ）は、階調数２５６の第１階調画像を示す図、（Ｂ）は第１階調画像の濃度閾値と該濃度閾値に対応する各ピクセル数の分布を示す図である。
【図１３】本実施形態に係るスタンプ製版システムのコンピュータ装置において、画像変換処理のサブ処理の際に実行する画像変換パラメータに基づく各第２階調画像の作成手順を模式的に説明する図で、（Ａ）は上下カット閾値による画像変換を示す図、（Ｂ）は目標値（Ａｉｍ）による画像変換を示す図、（Ｃ）は明るさ補正値による画像変換を示す図である。
【図１４】本実施形態に係るスタンプ製版システムのコンピュータ装置において、各第３階調画像を液晶表示装置に表示する際に実行される画像表示処理を示すサブフローチャートである。
【図１５】本実施形態に係るスタンプ製版システムのコンピュータ装置において、各第３階調画像の画像データが格納される描画領域の構成を模式的に示す図である。
【図１６】本実施形態に係るスタンプ製版システムのコンピュータ装置において、各第３階調画像を液晶表示装置に表示した一例を説明する図である。
【図１７】本実施形態に係るスタンプ製版システムのコンピュータ装置において、選択された第３階調画像に対応するスタンプ製版用画像データを作成する際に実行される製版用データ作成処理を示すサブフローチャートである。
【図１８】本実施形態に係るスタンプ製版システムのコンピュータ装置において、選択された第３階調画像に対応するラベル印字用画像データを作成する際に実行されるラベル印字用データ作成処理を示すサブフローチャートである。
【図１９】本実施形態に係るスタンプ製版システムのコンピュータ装置において、液晶表示装置の下段左（上下カット閾値：１０％、明るさ補正値：４０、目標値：１５９）の表示画像の一例を示す図である。
【図２０】図１９に示す表示画像に対応してスタンプ作成装置３によって作成されたスタンプの捺印結果の一例を示す図である。
【図２１】図１９に示す表示画像に対応してスタンプ作成装置３によって作成されたＩＤラベルの印字結果の一例を示す図である。
【符号の説明】
【００９８】
１  スタンプ製版システム、２  コンピュータ装置、３  スタンプ作成装置
５  液晶表示装置、７  マウス、８  イメージスキャナ、１５  サーマルヘッド
２５、４１  ＣＰＵ、２６、４２  ＲＯＭ、２７、４３  ＲＡＭ、
４９  ＨＤＤ、６１  画像変換テーブル、６２  ディスプレイ用補正テーブル
６３  スタンプ用補正テーブル、６４  ラベル印字用補正テーブル
７１  第１階調画像、７１  指定領域、７２  ピクセル分布曲線
７３  第１変換ピクセル分布曲線、７２  第２変換ピクセル分布曲線
８１  描画領域、８１Ａ〜８１Ｉ  領域
【図１】
2005125549.tif 000003
【図２】
2005125549.tif 000004
【図３】
2005125549.tif 000005
【図４】
2005125549.tif 000006
【図５】
2005125549.tif 000007
【図６】
2005125549.tif 000008
【図７】
2005125549.tif 000009
【図８】
2005125549.tif 000010
【図９】
2005125549.tif 000011
【図１０】
2005125549.tif 000012
【図１１】
2005125549.tif 000013
【図１２】
2005125549.tif 000014
【図１３】
2005125549.tif 000015
【図１４】
2005125549.tif 000016
【図１５】
2005125549.tif 000017
【図１６】
2005125549.tif 000018
【図１７】
2005125549.tif 000019
【図１８】
2005125549.tif 000020
【図１９】
2005125549.tif 000021
【図２０】
2005125549.tif 000022
【図２１】
2005125549.tif 000023